(57)【要約】【課題】慢性痛や気分障害を患う者ならびに健常者の健康を増進することができる空気調和装置を実現する。【解決手段】室内の気圧の制御を開始するときの大気圧を取得し、室内の気圧が、その取得した大気圧の１．０１〜１．０３倍になるように制御する。これにより、慢性痛や気分障害を患う者ならびに健常者の健康を増進することができる。【選択図】図１
2018011730.tif 000002
【特許請求の範囲】
【請求項１】
人が存在する閉鎖空間の空気を調和する空気調和装置であって、
前記調和を開始するときの前記閉鎖空間の外部気圧を取得し、前記閉鎖空間の気圧が前記取得した外部気圧の１．０１〜１．０３倍になるように、風量、室温および湿度の少なくとも１つを制御することを特徴とする空気調和装置。
【請求項２】
人が存在する閉鎖空間の空気を調和する空気調和装置であって、
前記閉鎖空間の外部気圧をリアルタイムで取得し、その取得した外部気圧が所定値に到達したときに、前記閉鎖空間の気圧が、前記所定値に到達したときの外部気圧の１．０１〜１．０３倍になるように、風量、室温および湿度の少なくとも１つを制御することを特徴とする空気調和装置。
【請求項３】
人が存在する閉鎖空間の空気を調和する空気調和装置であって、
前記閉鎖空間の外部気圧をリアルタイムで取得し、その取得した外部気圧の変動値が所定値に到達したときに、前記閉鎖空間の気圧が、前記変動値が前記所定値に到達したときの外部気圧の１．０１〜１．０３倍になるように、風量、室温および湿度の少なくとも１つを制御することを特徴とする空気調和装置。
【請求項４】
人が存在する閉鎖空間の空気を調和する空気調和装置であって、
前記閉鎖空間の予測される外部気圧を取得し、その取得した外部気圧が所定値に到達したときに、前記閉鎖空間の気圧が、前記所定値に到達したときの外部気圧の１．０１〜１．０３倍になるように、風量、室温および湿度の少なくとも１つを制御することを特徴とする空気調和装置。
【請求項５】
前記閉鎖空間の気圧の前記取得した外部気圧に対する倍率を、前記１．０１〜１．０３倍の範囲内で所望の倍率に調節する倍率調節装置を備えることを特徴とする請求項１ないし請求項４のいずれか１つに記載の空気調和装置。
【請求項６】
前記閉鎖空間の気圧が、前記倍率調節装置により調節された倍率に対応する気圧に維持されている時間を調節する維持時間調節装置を備えることを特徴とする請求項５に記載の空気調和装置。
【請求項７】
前記閉鎖空間の気圧が、前記取得した外部気圧から、前記倍率調節装置により調節された倍率に対応する気圧に到達するまで漸増するように自動制御することを特徴とする請求項５または請求項６に記載の空気調和装置。
【請求項８】
前記閉鎖空間の気圧が、前記取得した外部気圧から、前記倍率調節装置により調節された倍率に対応する気圧に昇圧するまでの時間を調節する昇圧時間調節装置を備えることを特徴とする請求項５ないし請求項７のいずれか１つに記載の空気調和装置。
【請求項９】
前記閉鎖空間の気圧が、前記倍率調節装置により調節された倍率に対応する気圧から、前記取得した外部気圧に到達するまで漸減するように自動制御することを特徴とする請求項５ないし請求項８のいずれか１つに記載の空気調和装置。
【請求項１０】
前記閉鎖空間の気圧が、前記倍率調節装置により調節された倍率に対応する気圧から、前記取得した外部気圧に降圧するまでの時間を調節する降圧時間調節装置を備えることを特徴とする請求項５ないし請求項９のいずれか１つに記載の空気調和装置。
【請求項１１】
前記閉鎖空間は、居住空間であることを特徴とする請求項１ないし請求項１０のいずれか１つに記載の空気調和装置。
【請求項１２】
前記閉鎖空間は、人が移動に用いる移動体内の空間であることを特徴とする請求項１ないし請求項１０のいずれか１つに記載の空気調和装置。
【請求項１３】
前記閉鎖空間は、特定の場所に設置された閉鎖空間であることを特徴とする請求項１ないし請求項１０のいずれか１つに記載の空気調和装置。
【請求項１４】
前記閉鎖空間は、移動により気圧が変動する閉鎖空間であることを特徴とする請求項１ないし請求項１０のいずれか１つに記載の空気調和装置。
【発明の詳細な説明】
【技術分野】
【０００１】
この発明は、人が存在する閉鎖空間の空気を調和する空気調和装置に関する。
【背景技術】
【０００２】
近年、この種の空気調和装置として、屋外の基準圧に対する空調室の室内気圧を陽圧ま
たは負圧に保持するものが知られている（特許文献１）。
【先行技術文献】
【特許文献】
【０００３】
【特許文献１】特開２０１３−２４４５０号公報（請求項１、図１）
【発明の概要】
【発明が解決しようとする課題】
【０００４】
しかし、前述した従来のものは、単に、屋外の気圧に対して空調室の室内気圧を陽圧または負圧に保持するというものであり、室内気圧が人に与える科学的根拠については開示されていない。
つまり、従来のものでは、慢性痛や気分障害を患う者ならびに健常者の健康を増進することができない。
【０００５】
そこで、この出願に係る発明は、気圧が人体に与える影響について科学的に検証し、慢性痛や気分障害を患う者ならびに健常者の健康を増進することができる空気調和装置を実現することを目的とする。
【課題を解決するための手段】
【０００６】
（請求項１に係る発明）
請求項１に係る発明では、人が存在する閉鎖空間の空気を調和する空気調和装置（５０）であって、
前記調和を開始するときの前記閉鎖空間の外部気圧（Ｐ）を取得し、前記閉鎖空間の気圧（Ｐｒ）が前記取得した外部気圧の１．０１〜１．０３倍になるように、風量、室温および湿度の少なくとも１つを制御するという技術的手段を用いる。
【０００７】
（請求項２に係る発明）
請求項２に係る発明では、人が存在する閉鎖空間の気圧を調和する空気調和装置（５０）であって、
前記閉鎖空間の外部気圧（Ｐ）をリアルタイムで取得し、その取得した外部気圧が所定値に到達したときに、前記閉鎖空間の気圧（Ｐｒ）が、前記所定値に到達したときの外部気圧の１．０１〜１．０３倍になるように、風量、室温および湿度の少なくとも１つを制御するという技術的手段を用いる。
【０００８】
（請求項３に係る発明）
請求項３に係る発明では、人が存在する閉鎖空間の空気を調和する空気調和装置（５０）であって、
前記閉鎖空間の外部気圧（Ｐ）をリアルタイムで取得し、その取得した外部気圧の変動値が所定値に到達したときに、前記閉鎖空間の気圧（Ｐｒ）が、前記変動値が前記所定値に到達したときの外部気圧の１．０１〜１．０３倍になるように、風量、室温および湿度の少なくとも１つを制御するという技術的手段を用いる。
【０００９】
（請求項４に係る発明）
請求項４に係る発明では、人が存在する閉鎖空間の空気を調和する空気調和装置（５０）であって、
前記閉鎖空間の予測される外部気圧（Ｐ）を取得し、その取得した外部気圧が所定値に到達したときに、前記閉鎖空間の気圧（Ｐｒ）が、前記所定値に到達したときの外部気圧の１．０１〜１．０３倍になるように、風量、室温および湿度の少なくとも１つを制御するという技術的手段を用いる。
【００１０】
（請求項５に係る発明）
請求項５に係る発明では、請求項１ないし請求項４のいずれか１つに記載の空気調和装置（５０）において、前記閉鎖空間の気圧（Ｐｒ）の前記取得した外部気圧（Ｐ）に対する倍率を、前記１．０１〜１．０３倍の範囲内で所望の倍率に調節する倍率調節装置（６２〜６４）を備えるという技術的手段を用いる。
【００１１】
（請求項６に係る発明）
請求項６に係る発明では、請求項５に記載の空気調和装置（５０）において、前記閉鎖空間の気圧（Ｐｒ）が、前記倍率調節装置（６２〜６４）により調節された倍率に対応する気圧（Ｐｔ）に維持されている時間を調節する維持時間調節装置（６７，６８）を備えるという技術的手段を用いる。
【００１２】
（請求項７に係る発明）
請求項７に係る発明では、請求項５または請求項６に記載の空気調和装置（５０）において、前記閉鎖空間の気圧（Ｐｒ）が、前記取得した外部気圧（Ｐ）から、前記倍率調節装置（６２〜６４）により調節された倍率に対応する気圧（Ｐｔ）に到達するまで漸増するように自動制御するという技術的手段を用いる。
【００１３】
（請求項８に係る発明）
請求項８に係る発明では、請求項５ないし請求項７のいずれか１つに記載の空気調和装置（５０）において、前記閉鎖空間の気圧（Ｐｒ）が、前記取得した外部気圧（Ｐ）から、前記倍率調節装置（６２〜６４）により調節された倍率に対応する気圧（Ｐｔ）に昇圧するまでの時間を調節する昇圧時間調節装置を備えるという技術的手段を用いる。
【００１４】
（請求項９に係る発明）
請求項９に係る発明では、請求項５ないし請求項８のいずれか１つに記載の空気調和装置（５０）において、前記閉鎖空間の気圧（Ｐｒ）が、前記倍率調節装置（６２〜６４）により調節された倍率に対応する気圧（Ｐｔ）から、前記取得した外部気圧（Ｐ）に到達するまで漸減するように自動制御するという技術的手段を用いる。
【００１５】
（請求項１０に係る発明）
請求項１０に係る発明では、請求項５ないし請求項９のいずれか１つに記載の空気調和装置（５０）において、前記閉鎖空間の気圧（Ｐｒ）が、前記倍率調節装置（６２〜６４）により調節された倍率に対応する気圧（Ｐｔ）から、前記取得した外部気圧（Ｐ）に降圧するまでの時間を調節する降圧時間調節装置を備えるという技術的手段を用いる。
【００１６】
（請求項１１に係る発明）
請求項１１に係る発明では、請求項１ないし請求項１０のいずれか１つに記載の空気調和装置（５０）において、前記閉鎖空間は、居住空間であるという技術的手段を用いる。
【００１７】
（請求項１２に係る発明）
請求項１２に係る発明では、請求項１ないし請求項１０のいずれか１つに記載の空気調和装置（５０）において、前記閉鎖空間は、人が移動に用いる移動体内の空間であるという技術的手段を用いる。
【００１８】
（請求項１３に係る発明）
請求項１３に係る発明では、請求項１ないし請求項１０のいずれか１つに記載の空気調和装置（５０）において、前記閉鎖空間は、特定の場所に設置された閉鎖空間であるという技術的手段を用いる。
【００１９】
（請求項１４に係る発明）
請求項１４に係る発明では、請求項１ないし請求項１０のいずれか１つに記載の空気調和装置（５０）において、前記閉鎖空間は、移動により気圧が変動する閉鎖空間であるという技術的手段を用いる。
【００２０】
なお、上記各括弧内の符号は、後述する実施形態に記載の具体的手段との対応関係を示すものである。
【発明の効果】
【００２１】
（請求項１に係る発明の効果）
請求項１に係る発明の空気調和装置は、人が存在する閉鎖空間の気圧の制御を開始するときの閉鎖空間の外部気圧を取得し、閉鎖空間の気圧が、その取得した外部気圧の１．０１〜１．０３倍になるように、風量、室温および湿度の少なくとも１つを制御する。
したがって、請求項１に係る発明は、慢性痛や気分障害を患う者ならびに健常者の健康を増進するという効果を奏する。
【００２２】
（請求項２に係る発明の効果）
請求項２に係る発明の空気調和装置は、人が存在する閉鎖空間の外部気圧をリアルタイムで取得し、その取得した外部気圧が所定値に到達したときに、閉鎖空間の気圧が、その所定値の１．０１〜１．０３倍になるように、風量、室温および湿度の少なくとも１つを制御する。
したがって、請求項２に係る発明は、外部気圧が所定値に到達したときに閉鎖空間の気圧を外部気圧の１．０１〜１．０３倍になるように制御することができる。
つまり、請求項２に係る発明は、閉鎖空間の気圧を制御しても、所望の効果を得ることができないと予測される外部気圧のときに、閉鎖空間の気圧の制御を行わないようにすることができる。
【００２３】
（請求項３に係る発明の効果）
請求項３に係る発明の空気調和装置は、人が存在する閉鎖空間の外部気圧をリアルタイムで取得し、その取得した外部気圧の変動値が所定値に到達したときに、閉鎖空間の気圧が、変動値が上記所定値に到達したときの外部気圧の１．０１〜１．０３倍になるように、風量、室温および湿度の少なくとも１つを制御する。
したがって、請求項３に係る発明は、外部気圧の変動値が所定値に到達したときに閉鎖空間の気圧を外部気圧の１．０１〜１．０３倍になるように制御することができる。
つまり、請求項３に係る発明は、閉鎖空間の気圧を制御しても、所望の効果を得ることができないと予測される外部気圧のときに、閉鎖空間の気圧の制御を行わないようにすることができる。
【００２４】
（請求項４に係る発明の効果）
請求項４に係る発明の空気調和装置は、人が存在する閉鎖空間の予測される外部気圧を取得し、その取得した外部気圧が所定値に到達したときに、閉鎖空間の気圧が、その所定値に到達したときの外部気圧の１．０１〜１．０３倍になるように、風量、室温および湿度の少なくとも１つを制御する。
したがって、請求項４に係る発明は、予測される外部気圧が所定値に到達したときに閉鎖空間の気圧を外部気圧の１．０１〜１．０３倍になるように制御することができる。
つまり、請求項４に係る発明は、閉鎖空間の気圧を制御しても、所望の効果を得ることができないと予測される外部気圧のときに、閉鎖空間の気圧の制御を行わないようにすることができる。
【００２５】
（請求項５に係る発明の効果）
請求項５に係る発明の空気調和装置は、閉鎖空間の気圧の前記取得した外部気圧に対する倍率を、１．０１〜１．０３倍の範囲内で所望の倍率に調節する倍率調節装置を備える。
したがって、請求項５に係る発明は、気圧に対する個人差に応じて最適の気圧に制御することができるため、気圧に対する個人差に応じて健康の増進を行うことができる。
【００２６】
（請求項６に係る発明の効果）
請求項６に係る発明の空気調和装置は、閉鎖空間の気圧が、倍率調節装置により調節された倍率に対応する気圧に維持されている時間を調節する維持時間調節装置を備える。
したがって、請求項６に係る発明は、調節された気圧に晒されている時間の長さが、効果の種類、効果の程度、あるいは、効果の個人差に対して影響を与える場合に、時間を調節することによって最大の効果を奏することができる。
【００２７】
（請求項７に係る発明の効果）
請求項７に係る発明の空気調和装置は、閉鎖空間の気圧が、取得した外部気圧から、倍率調節装置により調節された倍率に対応する気圧に到達するまで漸増するように自動制御する。
したがって、請求項７に係る発明は、閉鎖空間の気圧が急激に上昇しないようにすることができるため、気圧の急激な上昇による人体への影響をなくすことができる。
【００２８】
（請求項８に係る発明の効果）
請求項８に係る発明の空気調和装置は、閉鎖空間の気圧が、取得した外部気圧から、倍率調節装置により調節された倍率に対応する気圧に昇圧するまでの時間を調節する昇圧時間調節装置を備える。
したがって、請求項８に係る発明は、気圧の上昇に対して順応性が低い人に対して、最適な昇圧時間に調節することができるため、そのような人も当該空気調和装置を利用して健康を増進することができる。
【００２９】
（請求項９に係る発明の効果）
請求項９に係る発明の空気調和装置は、閉鎖空間の気圧が、倍率調節装置により調節された倍率に対応する気圧から、前記取得した外部気圧に到達するまで漸減するように自動制御する。
したがって、請求項９に係る発明は、閉鎖空間の気圧が急激に下降しないようにすることができるため、気圧の急激な下降による人体への影響をなくすことができる。
【００３０】
（請求項１０に係る発明の効果）
請求項１０に係る発明の空気調和装置は、閉鎖空間の気圧が、倍率調節装置により調節された倍率に対応する気圧から、前記取得した気圧に降圧するまでの時間を調節する降圧時間調節装置を備える。
したがって、請求項１０に係る発明は、気圧の下降に対して順応性が低い人に対して、最適な降圧時間に調節することができるため、そのような人も当該空気調和装置を利用して健康を増進することができる。
【００３１】
（請求項１１に係る発明の効果）
請求項１１に係る発明の空気調和装置は、居住空間の気圧を外部気圧の１．０１〜１．０３倍になるように制御する。
したがって、請求項１１に係る発明は、居住空間に居住する人の健康を増進することができる。
たとえば、家に住む人や職場で働く人の健康を増進することができる。
【００３２】
（請求項１２に係る発明の効果）
請求項１２に係る発明の空気調和装置は、人が移動に用いる移動体内の空間の気圧を外部気圧の１．０１〜１．０３倍になるように制御する。
したがって、請求項１２に係る発明は、人が移動に用いる移動体内の空間に入っている人の健康を増進することができる。
たとえば、自動車、鉄道車両、航空機、船舶、エレベーターなどの移動体内の空間に入っている人の健康を増進することができる。
【００３３】
（請求項１３に係る発明の効果）
請求項１３に係る発明の空気調和装置は、特定の場所に設置された閉鎖空間の気圧を外部気圧の１．０１〜１．０３倍になるように制御する。
したがって、請求項１３に係る発明は、特定の場所に設置された閉鎖空間に入っている人の健康を増進することができる。
たとえば、空港のラウンジ、鉄道の駅の待合室などの閉鎖空間に当該空気調和装置を接続する。これにより、気圧低下によって慢性痛や気分障害を発症した人が、その閉鎖空間に入ることにより、症状を改善することができる。
【００３４】
（請求項１４に係る発明の効果）
請求項１４に係る発明の空気調和装置は、移動により気圧が変動する閉鎖空間の気圧を外部気圧の１．０１〜１．０３倍になるように制御する。
したがって、請求項１４に係る発明は、移動により気圧が変動する閉鎖空間に入っている人の健康を増進することができる。
【００３５】
特に、気圧の低下に起因する慢性痛や気分障害を患う者は、鉄道車両がトンネルに入ったとき、航空機が飛行しているとき、エレベーターが上昇しているときなど、気圧が低下する環境下において、慢性痛や気分障害を発症することが多い。
そこで、請求項１４に係る発明を実施すれば、移動により気圧が変動する閉鎖空間の気圧を外部気圧の１．０１〜１．０３倍になるように制御することができるため、気圧の低下に起因する慢性痛や気分障害が発症しないようにすることができる。
【図面の簡単な説明】
【００３６】
【図１】この発明の実施形態である空気調和装置の電気的構成をブロックで示す説明図である。
【図２】図１に示すマイコンが実行する制御の流れを示すフローチャートである。
【図３】図２に示すフローチャートの続きを示すフローチャートである。
【図４】実験１における被験者のプロフィールを示す図表である。
【図５】実験１における高気圧暴露スケジュールを示す説明図である。
【図６】実験１における疼痛ＶＡＳスコア、痛み度数および痛み指数の実験結果を示すグラフである。
【図７】実験１における不安および抑うつの実験結果を示すグラフである。
【図８】実験１におけるＰＯＭＳに対する効果の実験結果を示すグラフである。
【図９】実験１におけるα2脳波に対する効果の実験結果を示すグラフである。
【図１０】実験１におけるＬＦ／ＨＦに対する効果（健常者）およびＬＦ／ＨＦに対する効果（慢性痛）の実験結果を示すグラフである。
【図１１】実験１におけるＬＦ／ＨＦに対する効果（慢性痛・気分障害）およびＬＦ／ＨＦに対する効果（気分障害）の実験結果を示すグラフである。
【図１２】実験１における安静臥床と高気圧暴露のＬＦ／ＨＦに対する効果の比較の実験結果を示すグラフである。
【図１３】実験１における唾液アミラーゼ分泌量に対する効果の実験結果を示すグラフである。
【図１４】実験２における被験者のプロフィールを示す図表である。
【図１５】実験２における高気圧暴露スケジュールを示す説明図である。
【図１６】実験２における疼痛ＶＡＳスコアの変化の実験結果を示すグラフである。
【図１７】実験２におけるＰＡＩＮ  ＶＩＳＩＯＮ痛み指数の変化の実験結果を示すグラフである。
【図１８】実験２におけるＳＦ−ＭＰＱ疼痛尺度の変化の実験結果を示すグラフである。
【図１９】実験２におけるＨＡＤＳ（不安尺度）に対する効果の実験結果を示すグラフである。
【図２０】実験２におけるＰＯＭＳの精神尺度に対する高気圧暴露の効果の実験結果を示すグラフである。
【図２１】実験２におけるα2脳波に対する高気圧暴露の効果の実験結果を示すグラフである。
【図２２】実験２におけるＬＦ／ＨＦパワーに対する効果（慢性痛患者）の実験結果を示すグラフである。
【図２３】実験２におけるＬＦ／ＨＦパワーに対する高気圧暴露の抑制効果の実験結果を示すグラフである。
【図２４】実験２における唾液アミラーゼ分泌量に対する高気圧暴露の効果の実験結果を示すグラフである。
【図２５】ＳＦ−ＭＰＱ（簡略版マクギル疼痛質問票）の説明図である。
【図２６】ＨＡＤＳ質問票の説明図である。
【図２７】ＰＯＭＳ簡略版の説明図である。
【発明を実施するための形態】
【００３７】
〈第１実施形態〉
［空気調和装置の電気的構成］
最初に、この実施形態の空気調和装置の主な電気的構成について、それをブロックで示す図１を参照して説明する。
【００３８】
図１に示すように、空気調和装置５０は、室内機６０と、使用者が室内機６０を操作するリモコン（リモートコントローラ）９０と、室外機１１０とを備える。
室内機６０は、空気調和装置５０の各部を制御するマイコン（マイクロコンピュータ）６１と、マイコン６１により実行されるプログラムやマイコン６１の処理を定めるパラメータ等を記憶したＲＯＭ６２と、マイコン６１が処理するコンピュータプログラムやデータ等を一時的に記憶するメモリ６３とを備える。マイコン６１は、ＲＯＭ６２に記憶されたコンピュータプログラムを読み出して、メモリ６３に形成されるワークエリアに展開して実行し、ＲＯＭ６２に記憶された各種データ等を処理することで、空気調和装置５０を制御する機能を実現する。空気調和装置５０は、マイコン６１の制御により、室内機６０が設置されている室内（閉鎖空間）の風量、室温および湿度の少なくとも１つを制御する。
【００３９】
マイコン６１には、空気調和装置５０の冷媒回路（図示省略）に配設された電磁弁（図示省略）や電動膨張弁（図示省略）の開閉および開度を制御する弁開閉制御部６４、室内機６０が吸い込んだ吸込空気温度を検出する吸込温度センサ６５、室内機６０が備える熱交換器（図示省略）の温度を検出する熱交換器温度センサ６６、室内機６０が設定されている室内（閉鎖空間）の気圧を検出する気圧センサ６７、上記冷媒配管における圧力を検出する冷媒圧力センサ６８、ＬＥＤの点灯により室内機６０の動作状態を表示する表示部６９がそれぞれ接続されている。表示部６９には、フィルタの交換時期を知らせるフィルタランプ７０が設けられている。
マイコン６１は、吸込温度センサ６５および熱交換器温度センサ６６により検出される温度や、冷媒圧力センサ６８により検出される冷媒圧力等に基づいて、弁開閉制御部６４を制御して電磁弁や電動膨張弁等を開閉させて空気調和運転を実施する。
【００４０】
さらに、マイコン６１には、モータ駆動回路７１，７３，７６，７８がそれぞれ電気的に接続されている。各モータ駆動回路は、ファンモータ７２、フィルタ昇降モータ７５、縦羽根駆動モータ７７およびフラップ駆動モータ７９への電力供給や制御パルスの出力を行い、これらモータを駆動する。モータ駆動回路７１は、送風機（図示省略）に連結されたファンモータ７２を駆動し、送風機により所定風量の送風を行わせる。モータ駆動回路７３は、フィルタ昇降装置（図示省略）を駆動するフィルタ昇降モータ７５を動作させる。
【００４１】
モータ駆動回路７６は、横方向の風向きを変える縦羽根（図示省略）に連結された縦羽根駆動モータ７７を駆動して、縦羽根を揺動させる。モータ駆動回路７８は、縦方向の風向きを変えるフラップ（図示省略）に連結されたフラップ駆動モータ７９を駆動して、フラップを回動させる。
また、マイコン６１は、室外機１１０が備えるモータ駆動回路１１１に接続されている。モータ駆動回路１１１は、圧縮機１１２を駆動するモータ（図示省略）を駆動する。
【００４２】
また、マイコン６１には、リモコン９０から送信される赤外線信号を受光する受光部８０が接続されており、マイコン６１は、受光部８０により受光した赤外線信号に従って、空気調和装置５０の各部を制御する。リモコン９０は、リモコン９０の各部を制御するマイコン９１と、このマイコン９１に接続された発光部９２と、操作内容および設定内容などを表示するＬＣＤパネル９３と、スイッチパネル９４とを備える。スイッチパネル９４には、空調操作部９５が設けられている。空調操作部９５には、自動運転開始ボタン、停止ボタン、冷房開始ボタン、暖房開始ボタン、ドライ運転開始ボタン、送風運転を開始する送風ボタン、風量を調節する風量ボタン、温度設定ボタン、風向きを変える風向ボタン、タイマーを設定するタイマーボタンなどが設けられている。
【００４３】
また、スイッチパネル９４には、室内気圧を調節するための調節ボタン９７〜９９と、これら調節ボタンにより調節された気圧を維持している時間を設定する時間増加ボタン１００と、時間減少ボタン１０１と、気圧制御を停止するための停止ボタン１０２とが設けられている。各調節ボタン９７〜９９は、プッシュオン式のプッシュボタンであり、調節ボタン９７（ＧＬＡＮ）は、室内の気圧を室外の気圧（外部気圧）の１．０３倍に設定するための調節ボタンであり、調節ボタン９８（ＭＩＬＤ）は、室内の気圧を室外の気圧（外部気圧）の１．０２倍に設定するための調節ボタンであり、調節ボタン９９（ＳＯＦＴ）は、室内の気圧を室外の気圧（外部気圧）の１．０１倍に設定するための調節ボタンである。つまり、室内は、調節ボタン９７〜９９のいずれかを押圧操作することにより、室外の気圧（外部気圧）の１．０１〜１．０３倍の気圧の環境に維持される。
なお、室内の気圧の制御を行っていないときは、室内の気圧は室外の気圧、つまり大気圧と等しいため、気圧の制御開始時に気圧センサ６７が測定した気圧は、室外の気圧（外部気圧）である。
【００４４】
たとえば、室内は、外部気圧が１０１３ｈＰａであるときに、調節ボタン９７を押圧操作すると、マイコン６１により、風量、室温および湿度の少なくとも１つが制御され、外部気圧（制御開始時の室内気圧）よりも約３０ｈＰａ高い１０４３ｈＰａ（＝１０１３ｈＰａ×１．０３）に昇圧される。また、調節ボタン９８を押圧操作した場合は、外部気圧（制御開始時の室内気圧）よりも約２０ｈＰａ高い１０３３ｈＰａ（＝１０１３ｈＰａ×１．０２）に昇圧され、調節ボタン９９を押圧操作した場合は、外部気圧（制御開始時の室内気圧）よりも約１０ｈＰａ高い１０２３ｈＰａ（＝１０１３ｈＰａ×１．０１）に昇圧される。
【００４５】
気圧に対する敏感さや順応性には、個人差があるため、室内に居る人は、自分に適合した気圧を選択することができる。調節ボタン９７〜９９により調節された気圧を維持する時間は、時間増加ボタン１００を押圧操作することにより、３０分単位で増加し、時間減少ボタン１０１を押圧操作することにより、３０分単位で減少する。また、時間増加ボタン１００を長押し操作すると、７時間に設定される。設定された時間および残り時間は、ＬＣＤパネル９３に表示される。
マイコン６１は、調節ボタン９７〜９９によって調節された目標の気圧に到達するまで、室内の気圧を漸増させる。また、室内の気圧が目標の気圧に維持されているときに停止ボタン９６が押圧操作された場合は、マイコン６１は、外部気圧に到達するまで、室内の気圧を漸減させる。
【００４６】
マイコン６１は、スイッチパネル９４に設けられた各種ボタンの操作を検出して、操作されたボタンに対応する操作信号を生成して、発光部９２に出力するとともに、操作内容に応じてＬＣＤパネル９３の表示状態を更新する。発光部９２は、赤外光を発するＬＥＤ等の光源を備え、マイコン９１から入力される操作信号に従って光源を発光させる。
そして、受光部８０によって受光した赤外線信号が、運転ボタンの操作を示す操作信号であった場合、マイコン６１は、この操作信号に従って、室内機６０を含む空気調和装置５０の運転を開始し、空気調和運転を開始する。
【００４７】
つまり、マイコン６１は、モータ駆動回路１１１により圧縮機１１２を駆動させるとともに、弁開閉制御部６４を制御して、室内機６０および室外機１１０が備える各弁の開閉および開度の調整を行い、空気調和装置５０に冷房運転または暖房運転またはドライ運転を開始させる。冷房運転または暖房運転の開始後、マイコン６１は、リモコン９０の温度設定ボタンの操作により設定された目標設定温度と、吸込温度センサ６５により検出された吸込空気温度（被調和室内の気温）とを比較し、冷房運転時に吸込空気温度が目標設定温度を所定温度だけ下回った場合、および、暖房運転時に吸込空気の温度が目標設定温度を所定温度だけ上回った場合に、モータ駆動回路１１１を制御して圧縮機１１２を停止させて、サーモオフする。そして、冷房運転時に吸込空気の温度が目標設定温度より上昇し、或いは暖房運転時に吸込空気の温度が目標設定温度より低下した場合は、モータ駆動回路１１１を制御して圧縮機１１２を動作させ、サーモオンする。
【００４８】
また、マイコン６１は、冷房運転または暖房運転またはドライ運転を行うときに、室内の気圧を調節ボタン９７〜９９により調節された気圧に昇圧する制御と、時間増加ボタン１００または時間減少ボタン１０１の操作により設定された時間、室内の気圧を調節された気圧に維持する制御と、設定された時間がタイムアップしたとき、あるいは、停止ボタン１０２が操作されたときに、室内の気圧を制御開始時の外部気圧に降圧させる制御とを行う。
【００４９】
［空気調和装置の制御の流れ］
次に、マイコン６１が実行する気圧制御の流れについて、それを示す図２および図３のフローチャートを参照して説明する。
【００５０】
マイコン６１は、自身が気圧制御中か否かを判定し（ステップ（以下、Ｓと略す）１）、制御中ではないと判定した場合は（Ｓ１：Ｎｏ）、空気調和装置５０の制御開始が指示されたか否かを判定する（Ｓ２）。ここで、制御開始が指示されたと判定した場合は（Ｓ２：Ｙｅｓ）、気圧センサ６７（図１）から大気圧Ｐを取得する（Ｓ３）。ここで、空気調和装置５０が稼働していないときの室内の気圧は、室外の大気圧と同一であるため、気圧センサ６７が取得した大気圧は室外気圧でもある。続いて、調節ボタン６２が押圧操作され、ＳＯＦＴが選択されているか否かを判定し（Ｓ４）、選択されていると判定した場合は（Ｓ４：Ｙｅｓ）、先のＳ３において取得した大気圧Ｐ×１．０１を、室内（閉鎖空間）の気圧の目標値（以下、目標気圧と称する）Ｐｔに設定する（Ｓ５）。
【００５１】
また、Ｓ４においてＳＯＦＴが選択されていないと判定した場合は（Ｓ４：Ｎｏ）、調節ボタン６３が押圧操作され、ＭＩＬＤが選択されているか否かを判定し（Ｓ６）、選択されていると判定した場合は（Ｓ６：Ｙｅｓ）、先のＳ３において取得した大気圧Ｐ×１．０２を、室内気圧の目標値（以下、目標気圧と称する）Ｐｔに設定する（Ｓ７）。また、Ｓ６においてＭＩＬＤが選択されていないと判定した場合は（Ｓ６：Ｎｏ）、調節ボタン６４が押圧操作され、ＧＬＡＮが選択されているか否かを判定し（Ｓ８）、選択されていると判定した場合は（Ｓ８：Ｙｅｓ）、先のＳ３において取得した大気圧Ｐ×１．０３を、室内気圧の目標値（以下、目標気圧と称する）Ｐｔに設定する（Ｓ９）。
【００５２】
続いて、稼働時間Ｔａをセットし（Ｓ１０）、ファンモータ７２（図１）を駆動し、室内機６０の風量、室温および湿度の少なくとも１つを制御し、たとえば、風量を増加し、加圧を開始する（Ｓ１１）。続いて、気圧センサ６７（図１）から室内気圧Ｐｒを取得し（Ｓ１２）、その室内気圧Ｐｒが目標気圧Ｐｔに到達したか否かを判定する（図３のＳ１３）。ここで、到達していないと判定した場合は（Ｓ１３：Ｎｏ）、気圧制御の停止ボタン１０２（図１）が押圧操作され、制御停止が指示されたか否かを判定する（Ｓ１４）。ここで、指示されていないと判定した場合は（Ｓ１４：Ｎｏ）、加圧を継続する（図２のＳ１１）。
【００５３】
そして、室内気圧Ｐｒが目標気圧Ｐｔに到達したと判定した場合は（図３のＳ１３：Ｙｅｓ）、室内機６０の風量、室温および湿度の少なくとも１つを制御し、たとえば、風量を減少させ、加圧を停止する（Ｓ１５）。続いて、先のＳ１０（図２）において設定した稼働時間Ｔａが０になったか否か、つまりタイムアップしたか否かを判定し（Ｓ１６）、タイムアップしていないと判定した場合は（Ｓ１６：Ｎｏ）、停止ボタン１０２（図１）が押圧操作され、制御停止が指示されたか否かを判定する（Ｓ１７）。ここで、指示されていないと判定した場合は（Ｓ１７：Ｎｏ）、室内気圧Ｐｒが目標気圧Ｐｔに到達したか否かを判定する（Ｓ１３）。
【００５４】
そして、タイムアップしたと判定した場合（Ｓ１６：Ｙｅｓ）は、あるいは、制御停止の指示があったと判定した場合は（Ｓ１４：Ｙｅｓ、Ｓ１７：Ｙｅｓ）、室内機６０の風量、室温および湿度の少なくとも１つを制御し、たとえば、風量を減少させ、室内の減圧を開始する（Ｓ１８）。続いて、室内気圧Ｐｒが大気圧Ｐに到達したか否かを判定し（Ｓ１９）、到達したと判定した場合は（Ｓ１９：Ｙｅｓ）、減圧を終了し（Ｓ２０）、制御の終了を報知する（Ｓ２１）。この制御の終了は、室内機６０またはリモコン９０に設けられたＬＥＤなどを点灯または点滅させることによって報知したり、音を出力することによって報知したりすることができ、それらの報知を行うための装置は、室内機６０またはリモコン９０、あるいは、それらの両方に設けることができる。
【００５５】
［実験１］
次に、この出願の発明者らが行った実験について図を参照して説明する。
この出願の発明者らは、大気圧よりも高い気圧が、人に及ぼす効果を測定する実験を行った。
【００５６】
１．被験者
この実験の被験者は計２６名である。その内訳は、健常成人１０名、慢性痛のみの者５名、気分障害のみの者５名、両者を同時に持つ者６名である（図４）。慢性痛被験者は、疼痛ＶＡＳスコア２以上、Pain Visionの痛み度数が２０以上、マクギル指数が０．１以上であった。また、気分障害は、ＨＡＤＳの不安尺度、抑うつ尺度のいずれかが７以上のものである。
【００５７】
２．高気圧暴露
２−１．装置
タイムワールド製Ｏ２カプセルを改造し、加圧制御性能を高めたものを用いた。カプセル内の気圧値を測定できるようにした。
２−２．暴露条件
その時点の大気圧から３０ｈＰａの加圧を行った。加圧速度は約１０ｈＰａ／分。本実験では、高気圧暴露の効果に限定したため、酸素の付加は行わなかった。被験者は各種の質問票に回答し、カプセル内で安静臥床後、血圧、唾液アミラーゼ測定を行い、１０分間の心電図・脳波の基準値測定後、カプセル内を３分かけて大気圧＋３０ｈＰａの高気圧環境にした。２７分高気圧に維持し、３０秒で大気圧まで復圧した。暴露後の安静期を９分３０秒とした（図５）。実験終了後、質問票、血圧、唾液アミラーゼ測定を行った。被験者には、できるだけ睡眠をとらないように指示した。
【００５８】
３．測定項目
３−１．疼痛尺度
（ＶＡＳスケール）
被験者に、患部の痛みの強さを０〜１０段階で自己評価してもらった。０は全く痛みがない、１０は想像できる最大の痛みとした。
（ＳＦ−ＭＰＱ（簡略版マクギル疼痛質問票））
簡易版マクギル疼痛質問票（図２５）を用いて被験者に回答してもらった。
（痛み度）
ニプロ製知覚・痛覚定量分析装置Pain Vision PS-2100を用いて、疼痛レベルを測定した。この装置の測定原理は以下の通りである。被験者が持つ痛みの強さを、痛みを伴わない電気刺激による感覚の大きさと比較し、痛みに対応する感覚の大きさを刺激電流値として定量化する。すなわち、皮膚に痛みを発生させないパルス状電流波を与え、刺激量を漸増させながら痛みと刺激感覚の大きさを比較する。痛みの大きさに相当する感覚を与えた電流値を痛み対応電流と定義する。一方、被験者の電気刺激に対する閾値（増大する電気刺激を最初に感じた値）を最小感知電流と定義する。このようにして得られた痛み対応電流値と最小感知電流値により、痛みの大きさを表す指標を次のように定義する。
痛み度＝１００×（痛み対応電流−最小感知電流）／最小感知電流
【００５９】
３−２．精神症状（気分）尺度
（ＶＡＳスケール）
被験者に、気分を５段階（気持ちがいい〜気分が悪い）で自己評価してもらった。
（ＨＡＤＳ（Hospital Anxiety and Depression Scale)）
ＨＡＤＳ質問票（図２６）を用いて、被験者に自記してもらった。不安７項目、抑うつ７項目それぞれの点数を合計した。
（ＰＯＭＳ(Profile of Mood States)簡略版）
健常被験者の気分尺度は、ＰＯＭＳ簡略版（図２７）を用いて測定した。各質問項目について０〜４段階で自己評価してもらった。あらかじめ決められた６つの尺度（緊張・不安、抑うつ、敵意・怒り、活気、疲労、混乱）について合計点を求めた。
（簡易脳波測定）
ＦＵＴＥＫ製α波測定器FM-717を用いて、簡易脳波測定をした。α2脳波の出現量（電圧量／秒）を算出し、リラックスの程度の尺度とした。
【００６０】
３−３．自律神経指標
（心拍変動周波数パワースペクトル解析）
心臓の自律神経緊張の指標として、心拍変動周波数を求め、中間周波数成分（ＬＦ：０．０４−０．１５Ｈｚ）と高周波成分（０．１５−０．４Ｈｚ）の比（ＬＦ／ＨＦ）を交感神経活動の指標とした。心電図は、ダイヤメディカルシステム製テレメータ送受信機または日本光電製多チャンネルテレメーターシステムWEB-1000を用いて記録し、ＧＭＳ製心拍揺らぎ解析システムMem Calc/Tarawaを用いてＬＦ／ＨＦ値をリアルタイムで算出した。
（唾液アミラーゼ分泌量）
ニプロ製唾液アミラーゼモニターＣＭ-2.1を用いて、唾液中のアミラーゼ量を測定した。
【００６１】
４．実験結果
４−１．疼痛尺度
実験結果を図６に示す。個々の被験者で測定した疼痛ＶＡＳスコア、Psin Vissionの痛み度数、ＳＦ−ＭＰＱの痛み尺度の３指標の暴露前後の値を線で結んだ。ほとんどの被験者において、この３指標は暴露後に減少した。疼痛ＶＡＳスコアの平均値±標準誤差は暴露前後でそれぞれ３．９±０．５と２．０±０．３であり、統計学的に有意な差であった（ｔ検定、Ｐ＜０．００１）。また、痛み度数の平均値±標準誤差は、暴露前後でそれぞれ２３８．５±１０７．５と９９．７±４０．５であり、統計学的に有意な差であった（ｔ検定、Ｐ＜０．０５）。ＳＦ−ＭＰＱの痛み尺度についても有意な低下を示した。すなわち、平均値±標準誤差は、暴露前後でそれぞれ０．９±０．２と０．２２±０．０７であり、統計学的に有意な差であった（ｔ検定、Ｐ＜０．０１）。
【００６２】
４−２．精神症状（気分）尺度
ＨＡＤＳに対する高気圧暴露の効果を図７に示す。この図で明らかなように、高気圧暴露は不安尺度、抑うつ尺度ともに抑制効果を持つ。不安尺度の平均値±標準誤差は、暴露前後でそれぞれ９．５±０．９と５．６±１．１であり、統計学的に有意な差であった（ｔ検定、Ｐ＜０．０５）。また、抑うつ尺度についても平均値±標準誤差は、暴露前後でそれぞれ８．９±１．１と６．８±１．１であり、統計学的に有意な差であった（ｔ検定、Ｐ＜０．０５）。
【００６３】
健常被験者に行ったＰＯＭＳに対する高気圧暴露の効果を図８に示す。高気圧暴露は、緊張・不安尺度と抑うつ尺度を明らかに抑制した。両尺度とも統計学的に有意な低下であった（ｔ検定、Ｐ＜０．０５）。他の尺度については高気圧暴露前後に明らかな変化は見られなかった。
図９にα2脳波の出現量に対する高気圧暴露の効果を示した。慢性痛＋気分障害群で高気圧暴露後に増加傾向がみられた（統計学的な有意差はない）。他の群では明らかな効果はなかった。
【００６４】
４−３．自律神経指標
心拍変動周波数パワースペクトル解析を行い、暴露中のＬＦ／ＨＦの変化を解析した（図１０，図１１）。図１０（ａ）左のグラフは、健常被験者に高気圧暴露したときのＬＦ／ＨＦの経過である（９例の平均）。この図にみられるように高気圧環境に維持している間は低値で安定した。この傾向は、パワーの平均値（右グラフ）でも確認できた（統計学的な有意差はみられない）。
慢性痛群（図１０（ｂ））、慢性痛＋気分障害群（図１１（ｃ））についても健常群と同様に、高気圧環境に維持することによってＬＦ／ＨＦ値が低値安定する効果が得られた。気分障害群においては、この効果は弱いことも分かった（図１１（ｄ））。
【００６５】
図１２は、各群の被験者１名ずつに高気圧暴露を受けずにカプセル内に安静臥床してもらい、ＬＦ／ＨＦ値の経過を解析したものである。比較のため同一被験者に高気圧暴露を与えたときのＬＦ／ＨＦ値も示している。このグラフから明らかなように、どの被験者においても安静臥床のみでは高気圧暴露で観察されるような明瞭なＬＦ／ＨＦ値の低下は見られない。特に、慢性痛被験者と気分障害被験者のＬＦ／ＨＦ値は安静臥床によってかえって増加している。この結果から、高気圧暴露は、ＬＦ／ＨＦの低下、すなわち交感神経緊張を抑制する効果があるものと考えられる。
【００６６】
高気圧暴露による唾液アミラーゼ量の変化を図１３に示す。最右のグラフにあるように健常者の分泌量は暴露前値が低値を示し、高気圧暴露によっても明らかな変化はみられなかった。他の群においては暴露前から高値を示す例があった。また、高気圧暴露が明らかに抑制効果を示したものもみられた。慢性痛＋気分障害群で高気圧暴露後に値が大きく増加した１例が存在したが、この被験者は一定姿勢で臥床していること自体が苦痛だったと感想を述べた。
【００６７】
５．考察
今回の実験で以下の点が明らかとなった。
（１）大気圧＋３０ｈＰａの高気圧暴露は、健常者のストレスを抑制し、気分を改善し、交感神経緊張を抑制する効果があった。
（２）慢性痛、気分障害を示す被験者においては、疼痛レベルの低下、気分障害の改善、交感神経緊張の抑制効果が見られた。一部の被験者においてはストレスレベルを低下させる効果があることもα2脳波と唾液アミラーゼ分泌量測定によって明らかとなった。
以上の結果により、大気圧＋３０ｈＰａへの暴露が、健常者ならびに慢性痛／気分障害を患う被験者に対して有効な「健康増進効果」があることを強く示唆した。
【００６８】
６．結論
大気圧＋３０ｈＰａの高気圧暴露を３０分負荷し、健常者のストレスレベル、交感神経緊張、気分に与える影響を解析した。また、慢性痛あるいは気分障害をもつ被験者については、それぞれの症状に対する効果も同時に調べた。健常者のストレスレベルは低下し、交感神経の緊張レベルも低下した。また、慢性痛症状、気分障害の程度も低下した。
以上より、大気圧＋３０ｈＰａの高気圧暴露は一定の健康増進効果を持つことが明らかとなった。
【００６９】
［実験２］
次に、この出願の発明者らが前述した実験１の後に行った実験について図を参照して説明する。
前述の実験１では、大気圧＋３０ｈＰａが人に及ぼす効果を測定する実験を行ったが、今回の実験では、高気圧の程度を大気圧＋１０ｈＰａに下げ、自動車のキャビンや居住空間で容易に実装できる範囲とし、慢性痛の低減効果に焦点をあてて実験を行った。
【００７０】
１．被験者
被験者は、慢性痛患者のうち天気変化に敏感な者４名と、通院歴のない慢性痛をもつ一般成人６名である。被験者の性別、年齢、慢性痛部位は、図１４の通りである。
【００７１】
２．高気圧暴露
２−１．装置
タイムワールド社製「Ｏ2カプセル」を改造し、加圧制御性能を向上させたものを実験に用いた。また、カプセル内の気圧値をオンラインで測定記録できるようにした。
２−２．暴露プロトコル
それぞれの被験者に対し、高気圧暴露ありの施行を一回、高気圧暴露無しの施行を一回の計二回行った。暴露ありの施行を先に行ったケースが６例、暴露無しの施行を先に行ったケースが３例、他の一例については両施行を二日に分けて行った。
被験者は、各種の質問票に回答した後、カプセル内で安静臥床し、疼痛ＶＡＳスコア、PAIN VISION、血圧、唾液アミラーゼの測定を行った。１０分間の心電図・脳波の基準値測定後、約３分かけてその時点の大気圧から＋１０ｈＰａの高気圧環境にした。そして、３０分間高気圧に維持し、約１分で大気圧まで復圧した。暴露後の安静期を１０分とした（図１５）。暴露終了後に再度、疼痛ＶＡＳスコア、PAIN VISION、血圧、唾液アミラーゼの測定を行い、その後、質問票に回答してもらった。実験中、被験者には、カプセル内の眼前モニターで移動指標を２分間視認させ、コントローラー動作（両手の回内外運動）で指標を追跡するタスク作業を繰り返し行わせた（計５回）。暴露無しのプロトコルでは、気圧を変化させずに、暴露ありのプロトコルと同じタイムスケジュールで各パラメータの測定を行った。
【００７２】
３．測定項目
３−１．疼痛尺度
（疼痛ＶＡＳスコア）
被験者に、患部の痛みの強さを０〜１０段階で自己評価してもらった。０は全く痛みがない、１０は想像できる最大の痛みとした。
（痛み度数）
NIPRO製知覚・痛覚定量分析装置PAIN VISION PS-2100を用いて、疼痛レベルを測定した。この装置の測定原理は以下の通りである。被験者が持つ痛みの強さを、痛みを伴わない電気刺激による感覚の大きさと比較し、痛みに対応する感覚の大きさを刺激電流値として定量化する。すなわち、皮膚に痛みを発生させないパルス状電流波を与え、刺激量を漸増させながら痛みと刺激感覚の大きさを比較する。痛みの大きさに相当する感覚を与えた電流値を痛み対応電流と定義する。一方、被験者の電気刺激に対する閾値（増大する電気刺激を最初に感じた値）を最小感知電流と定義する。このようにして得られた痛み対応電流値と最小感知電流値により、痛みの大きさを表す指標を次の式を用いて算出した。
〈痛み度＝１００×（痛み対応電流−最小感知電流）／最小感知電流〉
【００７３】
（ＳＦ−ＭＰＱ（簡略版マクギル疼痛質問票））
ＳＦ−ＭＰＱ質問票（図２５）を用いて、被験者に自記してもらった。その点数を合計し、１６項目の合計点を１６で除した値を疼痛尺度とした。
【００７４】
３−２．精神症状（気分）尺度
（ＨＡＤＳ（Hospital Anxiety and Depression Scale)）
ＨＡＤＳ質問票（図２６）を用いて、被験者に自記してもらった。不安尺度（左側７項目）、うつ尺度（右側７項目）それぞれの点数（質問回答文右側の数字）を合計した。尺度の合計点がそれぞれ７以上の場合を「気分障害」と判断した。
（ＰＯＭＳ(Profile of Mood States)簡略版）
健常被験者の気分尺度は、ＰＯＭＳ簡略版（図２７）を用いて、被験者に各質問項目について０〜４の５段階で自記してもらった。あらかじめ決められた６つの精神尺度（緊張・不安、抑うつ、敵意・怒り、活気、疲労、混乱）についてそれぞれ合計点を求め評価した。
（簡易脳波測定）
ＦＵＴＥＫ製α波測定器FM-717を用いて、簡易脳波測定を行った。前頭葉部位におけるα2脳波の出現量（電圧量／秒）を算出し、精神性リラックスの程度の尺度とした。
【００７５】
３−３．自律神経指標
（心拍変動周波数パワースペクトル解析）
心臓の自律神経緊張の指標として、心拍変動周波数を求め、中間周波数成分（ＬＦ：０．０４−０．１５Ｈｚ）と高周波成分（０．１５−０．４Ｈｚ）の比（ＬＦ／ＨＦ）を交感神経活動の指標とした。心電波形は、日本光電製多チャンネルテレメータシステムWEB-1000を用いて記録し、ＧＭＳ製心拍揺らぎ解析システムMem Calc/Tarawaを用いてＬＦ／ＨＦ値をリアルタイムで算出した。
（唾液アミラーゼ分泌量）
ＮＩＰＲＯ製唾液アミラーゼモニターＣＭ-2.1を用いて、精神的ストレス度の指標として唾液中のアミラーゼ量を測定し比較した。
【００７６】
４．実験結果
４−１．疼痛尺度
（疼痛ＶＡＳスコア）
試験直前の疼痛ＶＡＳスコアの範囲は、２〜５だった。個々の被験者の疼痛ＶＡＳスコアの変化を図１６に示す。高気圧暴露を行わなかった対照施行に比べ、高気圧暴露施行において暴露後の疼痛ＶＡＳスコアが低下している例が多く、その傾向は、平均値の変化でも明らかだった。疼痛ＶＡＳスコアの平均値±標準誤差は、高気圧暴露前後でそれぞれ３．２±０．３と２．５±０．３であり、統計学的に有意な変化であった（paired t検定、Ｐ＜０．０５）。
【００７７】
（ＰＡＩＮ  ＶＩＳＩＯＮ）
暴露前の痛み度数は、１．６〜６２７．３であり、個人差が大きかった。暴露前後の痛み度数の変化を図１７に示す。高気圧暴露施行では、直後の痛み度数が低下している例が多く、特に痛み度数が高い被験者でその傾向が明らかだった。痛み度数の平均値±標準誤差は、高気圧暴露前後でそれぞれ１９０．９±７０．５と１００．７±２８．０であり、統計学的に有意な変化であった（paired t検定、Ｐ＜０．０５）。
【００７８】
（ＳＦ−ＭＰＱ疼痛尺度）
ＳＦ−ＭＰＱの疼痛尺度についても高気圧暴露によって明らかな改善が見られた（図１８）。すなわち、高気圧暴露前後の疼痛尺度の平均値±標準誤差は、それぞれ０．２７±０．０６と０．１８±０．０５であり、統計学的に有意な低下であった（paired t検定、Ｐ＜０．０５）。一方、高気圧暴露しない対照施行（左グラフ）では明らかな変化は見られなかった（１回目：０．３２±０．０８、２回目：０．３４±０．１０）。
【００７９】
４−２．精神症状（気分）尺度
（ＨＡＤＳ）
暴露前に気分障害ありと区分された被験者は４名であった（図１４）。ＨＡＤＳ（不安尺度）に対する高気圧暴露の効果を図１９に示す。右図に示すとおり、不安尺度の平均値±標準誤差は、暴露前後でそれぞれ５．８±１．４と４．２±１．３であり、統計学的に有意な差であった（paired t検定、Ｐ＜０．０５）。一方、高気圧暴露を行わない対照施行の不安尺度は、１回目が４．９±１．３、２回目が４．２±１．４であり、統計学的に有意差はなかった。うつ尺度については、高気圧暴露を行っても有意な変化はみられなかった（データ記載省略）。以上より、高気圧暴露は不安尺度に対してのみ抑制効果を持つことが分かった。
【００８０】
（ＰＭＯＳ簡略版）
図２０にＰＭＯＳの精神尺度に対する高気圧暴露の効果を示した。高気圧暴露なし（左図）と高気圧暴露あり（右図）のデータを比べると分かるように、高気圧暴露は緊張・不安尺度と抑うつ尺度を抑制する効果があり、両尺度とも統計学的に有意な低下であった（paired t検定、Ｐ＜０．０５）。一方、他の精神尺度については個々人の変化にばらつきが多く、高気圧暴露前後に明らかな変化は見られなかった。
【００８１】
（α2脳波の出現量）
図２１にα2脳波の出現量に対する高気圧暴露の効果を示した。この両図で明らかなように、高気圧暴露を行っても、出現量に明らかな変化は見られなかった。
【００８２】
４−３．自律神経指標
（ＬＦ／ＨＦパワー）
図２２に一例（被験者ＳＫ）の結果を示す。高気圧暴露を行わなかった対照施行（上図）では、パワー量が増加した。一方、高気圧暴露施行（下図）では、高気圧に維持すると徐々に低値に安定した。以上より、高気圧環境は、この被験者の交感神経系の緊張を抑制したと考えられる。
図２３に被験者１０名に高気圧暴露したときのＬＦ／ＨＦパワー平均値の変化を示す。高気圧暴露を行わなかった対照施行（左図）では、時間が経過するにつれて、ＬＦ／ＨＦパワーが増加した。一方、高気圧暴露施行では、ＬＦ／ＨＦパワーの変化はほとんど見られなかった。以上の結果から、５０分間の臥床中にタスク作業を行うとストレス反応として徐々に交感神経の緊張が生じることがわかった。一方、高気圧暴露施行では、この変化が消失していることから、高気圧暴露は交感神経緊張を抑制する（すなわちリラックス効果を持つ）ことが分かった。
【００８３】
（唾液アミラーゼ分泌量）
高気圧暴露による唾液アミラーゼ量の変化を図２４に示す。暴露前に高値を示した被験者２名（慢性痛患者ＳＡ、ＳＫ）では、高気圧暴露後に明らかにアミラーゼ値が低下したが、全体としては統計学的に有意な変化ではなかった。
【００８４】
５．考察
今回の実験で以下の点が明らかとなった。
（１）大気圧＋１０ｈＰａの高気圧暴露は、慢性痛を軽減し、気分障害を改善し、精神的ストレスによる不安・緊張あるいは抑うつを抑制する効果を示した。また、心拍間隔変動周波数解析の結果から、高気圧暴露には交感神経系の緊張を抑制する効果もあることが分かった。
（２）α2脳波と唾液アミラーゼ分泌量測定により、一部の被験者においてはストレスレベルを低下させる効果があることも明らかとなった。
【００８５】
また、今回の実験では、カプセル内でタスク作業をさせて覚醒レベルを高め、実際の室内環境に近い環境を模擬したが、ＬＦ／ＨＦパワーの解析結果から、この作業が被験者のストレスレベルを上げることが明らかとなり、高気圧暴露は、このストレス反応を抑制する効果を持つことも明らかとなった。これらのことから、＋１０ｈＰａの高気圧暴露でも慢性痛、気分障害に対して十分に改善効果があるが、タスク作業のストレスが「大気圧＋１０ｈＰａの高気圧暴露」の効果をマスクした可能性は否定できない。
【００８６】
６．結論
自動車キャビンや居住空間を想定した環境条件における健康増進効果を検証するため、大気圧＋１０ｈＰａの高気圧暴露を３０分間負荷し、慢性痛を持つ被験者のストレスレベル、交感神経緊張、気分に与える影響を解析した。被験者のストレスレベルは低下し、交感神経の緊張レベルも低下した。また、慢性痛症状、気分障害の程度も低下した。
以上より、実験１における大気圧＋３０ｈＰａと比較すると効果の程度は低いが、大気圧＋１０ｈＰａの高気圧環境は、慢性痛抑制効果のみならず、一定の健康増進効果を持つことが明らかとなった。
【００８７】
［第１実施形態による効果］
（１）第１実施形態の空気調和装置５０を実施すれば、室内の気圧Ｐｒの制御を開始するときの外部気圧Ｐを取得し、室内の気圧Ｐｒが、その取得した外部気圧Ｐの１．０１〜１．０３倍になるように制御することにより、慢性痛や気分障害を患う者ならびに健常者の健康を増進することができる。
【００８８】
（２）また、第１実施形態の空気調和装置５０を実施すれば、室内の気圧Ｐｒの外部気圧Ｐに対する倍率を、１．０１〜１．０３倍の範囲内で所望の倍率に調節することができるため、気圧に対する個人差に応じて最適の気圧に制御することができるので、気圧に対する個人差に応じて健康の増進を行うことができる。
【００８９】
（３）さらに、第１実施形態の空気調和装置５０を実施すれば、室内の気圧Ｐｒが、調節ボタン６２〜６４により調節された倍率に対応する気圧に維持されている時間を調節する時間増加ボタン１００と時間減少ボタン１０１とを備えるため、調節された室内気圧に晒されている時間の長さが、効果の種類、効果の程度、あるいは、効果の個人差に対して影響を与える場合に、時間を調節することによって最大の効果を奏することができる。
【００９０】
（４）さらに、第１実施形態の空気調和装置５０を実施すれば、室内の気圧Ｐｒが、外部気圧Ｐから、調節ボタン９７〜９９により調節された倍率に対応する気圧に到達するまで漸増するように自動制御することができるため、室内の気圧Ｐｒが急激に上昇しないようにすることができるので、気圧の急激な上昇による人体への影響をなくすことができる。
【００９１】
（５）さらに、第１実施形態の空気調和装置５０を実施すれば、室内の気圧Ｐｒが、調節ボタン９７〜９９により調節された倍率に対応する気圧が外部気圧Ｐに到達するまで漸減するように自動制御することができるため、室内の気圧Ｐｒが急激に下降しないようにすることができるので、気圧の急激な下降による人体への影響をなくすことができる。
【００９２】
（６）さらに、従来は必須であった、強力な加圧装置、気密性の高い筐体、複雑な換気システム、および酸素注入ユニットの設計・製造が不要となるため、コストを削減することができ、かつ、製品開発の自由度が格段に広がり、顧客ニーズに沿った機能の最適化や、審美性の高いデザインの実現により、製品に競争力を付与することができる。
【００９３】
〈他の実施形態１〉
室外の外部気圧Ｐをリアルタイムで取得し、その取得した外部気圧Ｐが所定値に到達したときに、室内の気圧Ｐｒが上記所定値の１．０１〜１．０３倍になるように空気調和装置５０を構成することもできる。
この空気調和装置５０を実施すれば、室内の気圧を制御しても、所望の効果を得ることができないと予測される外部気圧のときに、室内の気圧の制御を行わないようにすることができる。なお、この空気調和装置５０が請求項２に係る発明に対応する。
【００９４】
〈他の実施形態２〉
室外の外部気圧Ｐをリアルタイムで取得し、その取得した外部気圧の変動値が所定値に到達したときに、室内の気圧Ｐｒが、上記変動値が前記所定値に到達したときの外部気圧の１．０１〜１．０３倍になるように空気調和装置５０を構成することもできる。
この空気調和装置５０を実施すれば、室内の気圧を制御しても、所望の効果を得ることができないと予測される外部気圧のときに、室内の気圧の制御を行わないようにすることができる。なお、この空気調和装置５０が請求項３に係る発明に対応する。
【００９５】
〈他の実施形態３〉
室内の予測される外部気圧Ｐを取得し、その取得した外部気圧が所定値に到達したときに、室内の気圧Ｐｒが、上記所定値に到達したときの外部気圧の１．０１〜１．０３倍になるように空気調和装置５０を構成することもできる。たとえば、インターネットなどの通信回線を介して気象予報情報を取得し、その取得した気象予報情報に含まれる気圧予想値を、予測される外部気圧Ｐとして用いることができる。
この空気調和装置５０を実施すれば、室内の気圧を制御しても、所望の効果を得ることができないと予測される外部気圧のときに、室内の気圧の制御を行わないようにすることができる。なお、この空気調和装置５０が請求項４に係る発明に対応する。
【００９６】
〈他の実施形態４〉
室内の気圧Ｐｒが、取得した外部気圧Ｐから、調節ボタン９７〜９９により調節された倍率に対応する気圧Ｐｔに昇圧するまでの時間を調節する昇圧時間調節装置を備えるように空気調和装置５０を構成することもできる。
この空気調和装置５０を実施すれば、気圧の上昇に対して順応性が低い人に対して、最適な昇圧時間に調節することができるため、そのような人も当該空気調和装置５０を利用して健康を増進することができる。なお、この空気調和装置５０が請求項８に係る発明に対応する。
【００９７】
〈他の実施形態５〉
室内の気圧Ｐｒが、調節ボタン９７〜９９により調節された倍率に対応する気圧Ｐｔから、取得した外部気圧Ｐに降圧するまでの時間を調節する降圧時間調節装置を備えるように空気調和装置５０を構成することもできる。
この空気調和装置５０を実施すれば、気圧の下降に対して順応性が低い人に対して、最適な降圧時間に調節することができるため、そのような人も当該空気調和装置５０を利用して健康を増進することができる。なお、この空気調和装置５０が請求項１０に係る発明に対応する。
【００９８】
〈他の実施形態６〉
人が移動に用いる移動体内の空間の気圧制御に空気調和装置５０を用いることもできる。この空気調和装置５０を実施すれば、人が移動に用いる移動体内の空間に入っている人の健康を増進することができる。たとえば、自動車、鉄道車両、航空機、船舶、エレベーターなどの移動体内の空間に入っている人の健康を増進することができる。なお、この空気調和装置５０が請求項１２に係る発明に対応する。
【００９９】
〈他の実施形態８〉
特定の場所に設置された閉鎖空間の気圧制御に空気調和装置５０を用いることもできる。この空気調和装置５０を実施すれば、特定の場所に設置された閉鎖空間に入っている人の健康を増進することができる。たとえば、空港のラウンジ、鉄道の駅の待合室などの閉鎖空間に当該空気調和装置を接続する。これにより、気圧低下によって慢性痛や気分障害を発症した人が、その閉鎖空間に入ることにより、症状を改善することができる。なお、この空気調和装置５０が請求項１３に係る発明に対応する。
【０１００】
〈他の実施形態９〉
移動により気圧が変動する閉鎖空間の気圧制御に空気調和装置５０を用いることもできる。この空気調和装置５０を実施すれば、移動により気圧が変動する閉鎖空間に入っている人の健康を増進することができる。
特に、気圧の低下に起因する慢性痛や気分障害を患う者は、鉄道車両がトンネルに入ったとき、航空機が飛行しているとき、エレベーターが上昇しているときなど、気圧が低下する環境下において、慢性痛や気分障害を発症することが多い。
そこで、空気調和装置５０を実施すれば、移動により気圧が変動する閉鎖空間の気圧を外部気圧の１．０１〜１．０３倍になるように制御することができるため、気圧の低下に起因する慢性痛や気分障害が発症しないようにすることができる。なお、この空気調和装置６０が請求項１４に係る発明に対応する。
【０１０１】
〈他の実施形態１０〉
閉鎖空間の気圧Ｐｒの外部気圧Ｐに対する倍率を、公知の可変調整器などを使って０．０１単位あるいは０．０１未満の単位で調節するように構成することもできる。
【符号の説明】
【０１０２】
５０・・空気調和装置、６１・・マイコン、６７・・気圧センサ、９０・・リモコン、
９７〜９９調節ボタン（倍率調節装置）、
１００・・時間増加ボタン（維持時間調節装置）、
１０１・・時間減少ボタン（維持時間調節装置）１１０・・室外機、。
【図１】
2018011730.tif 000003
【図２】
2018011730.tif 000004
【図３】
2018011730.tif 000005
【図４】
2018011730.tif 000006
【図５】
2018011730.tif 000007
【図６】
2018011730.tif 000008
【図７】
2018011730.tif 000009
【図８】
2018011730.tif 000010
【図９】
2018011730.tif 000011
【図１０】
2018011730.tif 000012
【図１１】
2018011730.tif 000013
【図１２】
2018011730.tif 000014
【図１３】
2018011730.tif 000015
【図１４】
2018011730.tif 000016
【図１５】
2018011730.tif 000017
【図１６】
2018011730.tif 000018
【図１７】
2018011730.tif 000019
【図１８】
2018011730.tif 000020
【図１９】
2018011730.tif 000021
【図２０】
2018011730.tif 000022
【図２１】
2018011730.tif 000023
【図２２】
2018011730.tif 000024
【図２３】
2018011730.tif 000025
【図２４】
2018011730.tif 000026
【図２５】
2018011730.tif 000027
【図２６】
2018011730.tif 000028
【図２７】
2018011730.tif 000029